(57)【要約】      （修正有）【課題】部品点数を増加することなく、巻き取りばねの内端部とスピンドルの軸部とを容易、且つ確実に連結することができるシートベルト用リトラクタを提供する。【解決手段】シートベルト用リトラクタは、互いに対向する一対の側板を有するリトラクタフレームと、リトラクタフレームに回転自在に支持され、ウェビングが巻装されるスピンドル１２と、スピンドル１２をウェビングの巻き取り方向に付勢する巻き取りばね２５と、スピンドル１２のウェビング引き出し方向の回転をロックするロック機構と、を備える。リトラクタフレームの側板から突出するスピンドル１２の軸部４０には、径方向外面に凹部４４が形成され、巻き取りばね２５の内端部２８は、凹部４４内に収容されるように、略円形状に形成されている。【選択図】図３
2015182491.tif 000002
【特許請求の範囲】
【請求項１】
互いに対向する一対の側板を有するリトラクタフレームと、
該リトラクタフレームに回転自在に支持され、ウェビングが巻装されるスピンドルと、
前記スピンドルを前記ウェビングの巻き取り方向に付勢する巻き取りばねと、
前記スピンドルのウェビング引き出し方向の回転をロックするロック機構と、
を備えるシートベルト用リトラクタであって、
前記リトラクタフレームの側板から突出する前記スピンドルの軸部は、前記巻き取りばねの内端部を係止する巻き取りばね係止部を備え、
前記巻き取りばねの内端部は、略円形状に形成された丸端部を備え、
前記巻き取りばね係止部には、前記スピンドルの軸部の径方向外面に向かって開口し、前記丸端部が収容される凹部が形成されていることを特徴とするシートベルト用リトラクタ。
【請求項２】
前記巻き取りばね係止部には、複数の前記凹部が形成され、
隣接する前記凹部の間には、鉤部が形成され、
前記鉤部が、前記巻き取りばねの丸端部を引っ掛ける構造であることを特徴とする請求項１に記載のシートベルト用リトラクタ。
【請求項３】
前記鉤部は、径方向外面に向かうにつれて根元部に近づくように傾斜する傾斜面を有していることを特徴とする請求項２に記載のシートベルト用リトラクタ。
【請求項４】
前記鉤部は、軸中心部からそれぞれ径方向に延出した後、周方向一方側にそれぞれ折れ曲がっており、
前記巻き取りばねは、前記凹部に収容される前記巻き取りばねの内端部から周方向他方側に延びることを特徴とする請求項２または３に記載のシートベルト用リトラクタ。
【発明の詳細な説明】
【技術分野】
【０００１】
本発明は、シートベルト用リトラクタに関する。
【背景技術】
【０００２】
従来のシートベルト用リトラクタにおいては、ウェビングを巻き取るスピンドルを常時付勢する巻き取りばねと、巻き取りばねの内端が係止されるとともに、巻き取りばねの付勢力をスピンドルに伝達するブッシュと、巻き取りばね及びブッシュを収容するとともに、巻き取りばねの外端を係止するスプリングケースと、スプリングケースを覆うカバーとで、サブアッセンブリし、サブアッセンブリされた巻き取りばね装置をフレームに取り付けて組み立て、さらに、巻き取りばねを巻上状態にするように工夫したものが知られている（例えば、特許文献１参照）。
【先行技術文献】
【特許文献】
【０００３】
【特許文献１】特開平５−２５４３８９号公報
【発明の概要】
【発明が解決しようとする課題】
【０００４】
ところで、従来のシートベルト用リトラクタでは、ブッシュを用いてサブアッセンブリを行っており、巻き取りばねの内端部をブッシュに確実に嵌めこむことができるが、部品点数が増加するという課題がある。また、サブアッセンブリのブッシュとスピンドルの軸部とは、目視しながら組み立てる必要がある。
【０００５】
本発明は、上記事情に鑑みて為されたものであり、その目的は、部品点数を増加することなく、巻き取りばねの内端部とスピンドルの軸部とを容易、且つ確実に連結することができるシートベルト用リトラクタを提供することにある。
【課題を解決するための手段】
【０００６】
本発明の目的は、下記の構成によって達成される。
（１）  互いに対向する一対の側板を有するリトラクタフレームと、
該リトラクタフレームに回転自在に支持され、ウェビングが巻装されるスピンドルと、
前記スピンドルを前記ウェビングの巻き取り方向に付勢する巻き取りばねと、
前記スピンドルのウェビング引き出し方向の回転をロックするロック機構と、
を備えるシートベルト用リトラクタであって、
前記リトラクタフレームの側板から突出する前記スピンドルの軸部は、前記巻き取りばねの内端部を係止する巻き取りばね係止部を備え、
前記巻き取りばねの内端部は、略円形状に形成された丸端部を備え、
前記巻き取りばね係止部には、前記スピンドルの軸部の径方向外面に向かって開口し、前記丸端部が収容される凹部が形成されることを特徴とするシートベルト用リトラクタ。
（２）  前記巻き取りばね係止部には、複数の前記凹部が形成され、
隣接する前記凹部の間には、鉤部が形成され、
前記鉤部が、前記巻き取りばねの丸端部を引っ掛ける構造であることを特徴とする（１）に記載のシートベルト用リトラクタ。
（３）  前記鉤部は、径方向外面に向かうにつれて根元部に近づくように傾斜する傾斜面を有していることを特徴とする（２）に記載のシートベルト用リトラクタ。
（４）  前記鉤部は、軸中心部からそれぞれ径方向に延出した後、周方向一方側にそれぞれ折れ曲がっており、
前記巻き取りばねは、前記凹部に収容される前記巻き取りばねの内端部から周方向他方側に延びることを特徴とする（２）または（３）に記載のシートベルト用リトラクタ。
【発明の効果】
【０００７】
本発明のシートベルト用リトラクタによれば、リトラクタフレームの側板から突出するスピンドルの軸部は、巻き取りばねの内端部を係止する巻き取りばね係止部を備え、巻き取りばねの内端部は、略円形状に形成された丸端部を備え、巻き取りばね係止部には、スピンドルの軸部の径方向外面に向かって開口し、丸端部が収容される凹部が形成される。これにより、部品点数を増加することなく、巻き取りばねの内端部とスピンドルの軸部とを容易、且つ確実に連結することができる。
【図面の簡単な説明】
【０００８】
【図１】（ａ）は、本発明の一実施形態に係るシートベルト用リトラクタを示す斜視図である。
【図２】図１のシートベルト用リトラクタの断面図である。
【図３】巻き取りばね、巻き取りばねカバー、及びスピンドルの斜視図である。
【図４】巻き取りばねの内端部と、スピンドルの軸部との関係を示す正面図である。
【図５】本発明の変形例に係る、巻き取りばねの内端部と、スピンドルの軸部との関係を示す正面図である。
【発明を実施するための形態】
【０００９】
以下、本発明の一実施形態に係るシートベルト用リトラクタについて図面を参照して詳細に説明する。
【００１０】
本実施形態のシートベルト用リトラクタ１０は、図１及び図２に示すように、互いに対向する第１の側板１１ａ及び第２の側板１１ｂを有するリトラクタフレーム１１と、リトラクタフレーム１１に回転可能に支持され、シートベルト（図示せず）を巻き取るスピンドル１２と、スピンドル１２をシートベルトの巻き取り方向に付勢する巻き取りばね装置１７と、車両の水平方向の加速度を検出する加速度センサ１３と、加速度センサ１３によって検出される加速度に応じてシートベルトの引出動作をロックするロック機構１４と、を備える。
【００１１】
巻き取りばね装置１７は、スピンドル１２の軸方向一端側に配置されて、リトラクタフレーム１１に取り付けられる。一方、加速度センサ１３及びロック機構１４は、スピンドル１２の軸方向他端側に配置され、リトラクタフレーム１１の第１の側板１１ａに取り付けられるシステムカバー１９内に収容される。
【００１２】
巻き取りばね装置１７は、巻き取りばね２５、及び、巻き取りばね２５を収納し、リトラクタフレーム１１の第２の側板１１ｂに取り付けられる巻き取りばねカバー２６、２７を備え、巻き取りばね２５の内端部２８がスピンドル１２の先端部に取り付けられ、外端部２９が巻き取りばねカバー２６に取り付けられる。
【００１３】
ロック機構１４は、公知の種々の構成を採用することができる。本実施形態の場合には、ロック機構１４は、リトラクタフレーム１１の第１の側板１１ａと、該側板１１ａに取り付けられるベアリング板３１との間に、ＷＳレバー（図示せず）、ステアリングホイール３３、慣性体３４、及びスプリング３５を備える。慣性体３４は、ステアリングホイール３３に若干相対回転可能に取り付けられており、また、ＷＳレバーは、ステアリングホイール３３にスプリング３５によって付勢された状態で、回転可能に取り付けられている。ＷＳレバーは、慣性体３４とステアリングホイール３３が相対回転すると、スプリング３５の付勢力に抗して回転することで、ベアリング板３１の内歯３１ａと係合する。
【００１４】
また、車両衝突等で水平方向の加速度が所定値より大きいとき、加速度センサ１３のセンサウェイト２１が移動し、センサレバー（図示せず）を上方に回動する。続いてセンサレバーが上方に回動して、ステアリングホイール３３と係合する。そして、ステアリングホイール３３の引き出し方向の回転が阻止された状態でシートベルトがリトラクタ１０から引き出されると、ステアリングホイール３３がスピンドル１２に対して回転遅れを生じ、ステアリングホイール３３に回動可能に取り付けられたロック片１６が径方向外方に移動してリトラクタフレーム１１の側板１１ａの内側に形成されたロック歯１１ｆと係合し、スピンドル１２によるシートベルトの引き出し動作がロックされる。
【００１５】
したがって、減速度やウェビングＷの急な引き出しによってロック機構１４が作動すると、スピンドル１２がリトラクタフレーム１１にロックされ、スピンドル１２のウェビング引出し方向の回転が阻止されて、ウェビングＷの引出し動作がロックされる。
【００１６】
ここで、本実施形態では、図２〜図４に示すように、スピンドル１２の軸方向両端部には、リトラクタフレーム１１の第１及び第２の側板１１ａ、１１ｂの穴部からそれぞれ突出する軸部４０、４１が設けられる。第１の側板１１ａから突出するスピンドル１２の軸部４１は、ベアリング板３１に回転自在に支持される。
【００１７】
一方、図４に示すように、第２の側板１１ｂから突出するスピンドル１２の軸部４０は、巻き取りばねカバー２７の円孔２７ａからさらに突出する。該軸部４０は、巻き取りばね２５の内端部２８を係止する巻き取りばね係止部４５を備える。巻き取りばね係止部４５には、スピンドル１２の軸部４０の径方向外面に向かって開口する複数（本実施形態では、３つ）の凹部４４が設けられる。複数の凹部４４は、隣接する凹部４４の間にそれぞれ設けられた複数（本実施形態では、３つ）の鉤部４３によって形成されている。鉤部４３は、軸中心部４２からそれぞれ径方向に延出した後、周方向一方側（図４では、時計方向）にそれぞれ折れ曲がっている。これにより、軸部４０の径方向外面は、複数の鉤部４３によって部分的に構成され、また、隣接する鉤部４３の間に、複数の凹部４４が設けられる。
【００１８】
一方、巻き取りばね２５の内端部２８は、内端縁２８ａが鉤部４３と接触しないように、略円形状に丸められた丸端部４６を形成している。巻き取りばね２５は、丸端部４６を凹部４４内に収容しつつ鉤部４３によって引っ掛けられ、スピンドル１２の軸部４０の径方向外面を覆うようにして、渦巻き状に形成される。これにより、巻き取りばね２５の内端縁２８ａがバリなどにより、鉤部４３に引っ掛かって、凹部４４内に収容されない状態となるのを防止することができる。
【００１９】
また、巻き取りばね２５は、凹部４４に収容される巻き取りばね２５の内端部２８から周方向他方側（図４では、反時計方向）に延びるので、くさび状に形成された鉤部４３の先端部が、巻き取りばね２５の円形状の丸端部４６の付け根部分に嵌り込み、巻き取りばね２５とスピンドル１２とを確実に連結させることができる。
【００２０】
さらに、軸部４０の各鉤部４３は、径方向外面に向かうにつれて根元部４７に近づくように傾斜する傾斜面４３ａを有している。このため、巻き取りばねカバー２６、２７内に巻き取りばね２５が収容された状態で、巻き取りばねカバー２７の円孔２７ａ内にスピンドル１２の軸部４０を挿入して回すことで、巻き取りばね２５の内端部２８は、鉤部４３の傾斜面４３ａに当接した場合でも、確実に凹部４４へと移動して、凹部４４内に収容することができる。即ち、巻き取りばね２５の内端部２８は、目視せずに、凹部４４内に確実に収容することができる。
なお、根元部４７は、スピンドル１２の本体部分から延びる軸部４０の付け根部分である。
また、傾斜面４３ａは、本実施形態のように若干湾曲していてもよいし、直線状であってもよい。
【００２１】
以上説明したように、本実施形態のシートベルト用リトラクタ１０によれば、リトラクタフレーム１１の第２の側板１１ｂから突出するスピンドル１２の軸部４０は、巻き取りばね２５の内端部２８を係止する巻き取りばね係止部４５を備え、巻き取りばね２５の内端部４８は、略円形状に形成された丸端部４６を備え、巻き取りばね係止部４５には、スピンドル１２の軸部４０の径方向外面に向かって開口し、丸端部４６が収容される凹部４４が形成されている。これにより、巻き取りばね２５の内端縁２８ａがスピンドル１２の軸部４０と接触する可能性のある構成と比べて、内端縁２８ａのバリなどによる影響を受けず、巻き取りばね２５の内端部２８とスピンドル１２の軸部４０とを確実に連結することができる。
【００２２】
また、巻き取りばね係止部４５には、複数の凹部４４が形成され、隣接する凹部４４の間には、鉤部４３が形成され、鉤部４３が、巻き取りばね２５の丸端部４６を引っ掛ける構造であるので、凹部４４に収容される巻き取りばね２５とスピンドル１２とを確実に連結させることができる。
【００２３】
また、鉤部４３は、径方向外面に向かうにつれて根元部４７に近づくように傾斜する傾斜面４３ａを有しているので、巻き取りばね２５の内端部２８を目視せずに、該内端部２８をいずれかの凹部４４に確実に収容することができる。
【００２４】
さらに、鉤部４３は、軸中心部４２からそれぞれ径方向に延出した後、周方向一方側にそれぞれ折れ曲がっており、巻き取りばね２５は、凹部４４に収容される巻き取りばね２５の内端部２８から周方向他方側に延びるので、巻き取りばね２５とスピンドル１２とをより確実に連結させることができる。
【００２５】
なお、本発明は、上記実施形態のものに限定されるものでなく、適宜、改良または変形などが可能である。その他、上述した実施形態における各構成要素の材質、形状、寸法、数、配置箇所、等は本発明を達成できるものであれば任意であり、限定されない。
たとえば、スピンドルの軸部の径方向外面に形成された凹部は、本実施形態のものに限定されず、巻き取りばねの略円形状の内端部が収容される形状であればよい。
また、上記実施形態では、巻き取りばね係止部４５は、３つの鉤部４３によって３つの凹部４４が設けられているが、これに限らず、例えば、図５に示すように、４つの鉤部４３によって４つの凹部４４が設けられる構成であってもよい。
【符号の説明】
【００２６】
１０  シートベルト用リトラクタ
１２  スピンドル
１４  ロック機構
１９  システムカバー
２５  巻き取りばね
２６、２７  巻き取りばねカバー
２８  巻き取りばねの内端部
４０  軸部
４２  軸中心部
４３  鉤部
４３ａ  傾斜面
４４  凹部
【図１】
2015182491.tif 000003
【図２】
2015182491.tif 000004
【図３】
2015182491.tif 000005
【図４】
2015182491.tif 000006
【図５】
2015182491.tif 000007